【手続補正書】
【提出日】平成19年3月19日(2007.3.19)
【手続補正１】
【補正対象書類名】明細書
【補正対象項目名】特許請求の範囲
【補正方法】変更
【補正の内容】
【特許請求の範囲】
【請求項１】  次式（I）で示されることを特徴とする化合物。
【化１】
2002542219.tif 000001
（式中、
A1〜A4は、独立して、水素、メチル基及び２〜８０個の炭素原子を含む炭化水素基から成る群から選択され、前記炭化水素基の１個以上の炭素原子が、任意に、-O-、-S-及び-N-から成る群から選択されたヘテロ原子で置換され、かつ１個以上の水素原子が、任意に、C1-20アルキル、C2-20アルケニル、C2-20アルキニル、C2-20アリール、C2-20シクロアルキル、C2-20シクロアルケニル、C2-20シクロアルキニル、アミノ、シアノ、エポキシ、ハロゲン、ヒドロキシ、ニトロ及びオキソから成る群より選択される置換基で置換され、但し、２個の酸素原子が結合することはなく、かつA1〜A4の少なくとも１つが、重合可能な基を含み、
B1は、４〜８０個の炭素原子を含む炭化水素基を示し、１個以上の炭素原子が、任意に、-O-、-S-及び-N-から成る群より選択されたヘテロ原子で置換され、かつ1個以上の水素原子が、任意に、C1-20アルキル、C2-20アルケニル、C2-20アルキニル、C2-20アリール、C2-20シクロアルキル、C2-20シクロアルケニル、C2-20シクロアルキニル、アミノ、シアノ、エポキシ、ハロゲン、ヒドロキシ、ニトロ及びオキソから成る群より選択される置換基で置換され、但し、２個の酸素原子が結合することはなく、
MG1及びMG2は、独立して、１〜８０個の原子を含む芳香族又は非芳香族の炭素環若しくは複素環系であり、但し、MG1及びMG2の少なくとも１つが、少なくとも２つの環系を含み、かつMG1及びMG2が同一である場合に、A1及びA2、又はA3及びA4が、異なるか、又は少なくともA1〜A4の３つが異なる。）
【請求項２】  前記基A1〜A4の少なくとも１つが、以下の式（II）の基を含む、請求項１記載の化合物。
P-(Sp1)k1-(X1)t1- (II)
（式中、
Pは、水素、又はCH2=CW-、CH2=CW-O-、CH2=CW-COO-、CH2=C(Ph)-COO-、CH2=CH-COO-Ph-、CH2=CW-CO-NH-、CH2=C(Ph)-CONH-、CH2=C(COOR')-CH2-COO-、CH2=CH-O-、CH2=CH-OOC-、(Ph)-CH=CH-、CH3-C=N-(CH2)m3-、HO-、HS-、HO-(CH2)m3-、HS-(CH2)m3-、HO(CH2)m3COO-、HS(CH2)m3COO-、HWN-、HOC(O)-、CH2=CH-Ph-(O)m4、
【化２】
2002542219.tif 000002
（式中、
Wは、H、F、Cl、Br、I及びC1-5アルキル基から成る群から選択され、
m3は、１〜９の値を有する整数であり、
m4は、０又は１の値を有する整数であり、
R'は、C1-5アルキル基を示し、かつ
R"は、C1-5アルキル基、メトキシ、シアノ、F、Cl、Br及びIから成る群から選択される。）
から成る群から選択された重合可能な基であり、
Sp1は、C1-20アルキレン基を示し、任意にF、Cl、Br、I及びCNから成る群より選択される1つ以上の置換基で置換され、炭化水素鎖に存在する１つ以上のCH2基が、任意に、-O-、-S-、-NH-、-N(CH3)-、-CH(OH)-、-CO-、-CH2(CO)-、-SO-、-CH2(SO)-、-SO2-、-CH2(SO2)-、-COO-、-OCO-、-OCO-O-、-S-CO-、-CO-S-、-SOO-、-OSO-、-SOS-、-SH5、-C≡C-、-(CH2)r-、-(CD2)s-、-(CCl2)s-及びC(W1)=C(W2)-から成る群から選択された1種以上の基で置換され、W1及びW2は、独立して、H、H-(CH2)q1-及びClから成る群より選択され、但し、２つのヘテロ原子が結合せず、整数r、s及びq1は、独立して、１〜１５の数を示し、
k1は、０〜４の値を有する整数であり、
X1は、-O-、-S-、-NH-、-N(CH3)-、-CH(OH)-、-CO-、-CH2(CO)-、-SO-、-CH2(SO)-、-SO2-、-CH2(SO2)-、-COO-、-OCO-、-OCO-O-、-S-CO-、-CO-S-、-SOO-、-OSO-、-SOS-、-CH2-CH2-、-OCH2-、-CH2O-、-CH=CH-及び-C≡C-から成る群から選択され、かつ
t1は、０又は１の値を有する整数である。）
【請求項３】  k1及びt1が、それぞれ１の値を有する、請求項２記載の化合物。
【請求項４】  X1が、-O-、-COO-及び-OCO-から成る群から選択される、請求項２又は３記載の化合物。
【請求項５】  Sp1が、エチレン、プロピレン、ブチレン、ペンチレン、ヘキシレン、へプチレン、オクチレン、ノニレン、デシレン、ウンデシレン及びドデシレンから成る群から選択される、請求項２〜４のいずれか１項に記載の化合物。
【請求項６】  B1が、次式(III)
(X2)t2-Sp2-(X3)t3 (III)
で示される基である、請求項１〜５のいずれか１項に記載の化合物。
（式中、
Sp2は、C4-20アルキレン基を示し、１個以上の炭素原子が、任意に、-O-及び-N-から成る群から選択されたヘテロ原子で置換され、但し、２つのヘテロ原子が結合することはなく、
X2及びX3は、独立して、-O-、-S-、-NH-、-N(CH3)-、-CH(OH)-、-CO-、-CH2(CO)-、-SO-、-CH2(SO)-、-SO2-、-CH2(SO2)-、-COO-、-OCO-、-OCO-O-、-S-CO-、-CO-S-、-SOO-、-OSO-、-SOS-、-CH2-CH2-、-OCH2-、-CH2O-、-CH=CH-、-C≡C-及び単結合から成る群から選択され、かつ
t2及びt3は、独立して、０又は１の値を有する。）
【請求項７】  X2及びX3が、独立して -O-、-COO-、-OCO-及び単結合から成る群より選択される、請求項６記載の化合物。
【請求項８】  Sp2が、ブチレン、ペンチレン、ヘキシレン、へプチレン、オクチレン、ノニレン、デシレン、ウンデシレン及びドデシレンから成る群より選択される、請求項６又は７記載の化合物。
【請求項９】  MG1及びMG2が、独立して、次式（IV）
C1-(Z1-C2)al-(Z2-C3)a2-(Z3-C4)a3 （IV）
で示される基から選択される、請求項１〜８のいずれか１項に記載の化合物。
（式中
C1〜C4は、独立して、１〜１０個の炭素原子を含む、任意に置換された非芳香族、芳香族、炭素環又は複素環基から成る群より選択され、
Z1〜Z3は、独立して、-CH(OH)-、-CO-、-CH2(CO)-、-SO-、-CH2(SO)-、-SO2-、-CH2(SO2)-、-COO-、-OCO-、-COCF2-、-CF2CO-、-S-CO-、-CO-S-、-SOO-、-OSO-、-SOS-、-CH2-CH2-、-OCH2-、-CH2O-、-CH=CH-、-C≡C-、-CH=CH-COO-、-OCO-CH=CH-及び単結合から成る群より選択され、
a1、a2及びa3は、a1＋a2＋a3≦3を条件として、独立して、０又は１〜３の値を有する整数である。）
【請求項１０】  基C1〜C4が、独立して、次式
【化３】
2002542219.tif 000003
からなる群より選択される、請求項９記載の化合物。
（式中、
Lは、-CnH2n+1、-C(O)CnH2n+1、-C(O)OCnH2n+1、-OC(O)CnH2n+1、-OCnH2n+1、-NO2、-CN、-SF5及びハロゲンから成る群より選択され、
ｎは、１〜２０の値を有する整数を示し、
u1は、０又は１〜４の値を有する整数を示し、
u2は、０又は１〜３の値を有する整数を示し、
u3は、０又は１〜２の値を有する整数を示す。）
【請求項１１】  C1〜C4が、独立して、シクロヘキシル、シクロヘキシレン、フェニル、フェニレン、ナフチル、ナフチレン、フェナントリル、フェナントリレン、デカリニル及びデカリニレンから成る群より選択される、請求項９又は１０記載の化合物。
【請求項１２】  少なくとも２種の成分を含む液晶混合物であって、少なくとも１種の成分が、請求項１〜１１のいずれか１項に記載の式（I）の化合物を含むことを特徴とする、液晶混合物。
【請求項１３】  請求項１〜１１の何れか１項に記載の式（I）の化合物を含むことを特徴とする、液晶材料。
【請求項１４】  高分子ネットワークの形状である、請求項１３記載の液晶材料。
【請求項１５】  光学又は電気光学デバイスの製造における、請求項１〜１１のいずれか１項に記載の式（I）の化合物の使用。
【請求項１６】  単量体、高分子又は高分子ネットワーク形状である、請求項１３に記載の液晶材料を含むことを特徴とする、光学又は電気光学デバイス。